(57)【要約】      （修正有）【課題】ペットが後足で立ち上がって突発的に前進しようとするなど、突発的な予想外の動作をとっても、ペットの頚部や腹部に過度のテンションがかかるのを回避するペット用ハーネスを提供する。【解決手段】ペット２に装着されるベスト部１１と、ペット２の背中中央に位置され、リード３が係合されるリード係合部１２と、装着部１５とを備え、ベスト部１１は、ペットの頸部に巻き回される頚部用帯１３と、ペットの腹部に巻き回される腹部用帯１４と、ペット２の胸部において、一定の面積をもって、頚部用帯１３と腹部用帯１４とを連結する連結布部材１６とから形成されている。一対のリード係合部１２は、リングを重ね合わせた状態における、左右の全長が、係合状態における装着部１５の長さにほぼ等しくなっている。【選択図】図２
0003163475.tif 000002
【実用新案登録請求の範囲】
【請求項１】
四足動物に着用させるペット用ハーネスであって、
前記四足動物の頚部に当接される頚部用帯と、
前記四足動物の腹部に当接される腹部用帯と、
前記四足動物の胸部において、一定の面積をもって、前記頚部用帯と前記腹部用帯とを連結する連結布部材と、
前記頚部用帯の端部と、前記腹部用帯の端部を縫合することによって、左右一対に形成される環状部と、
前記左右一対の環状部同士を着脱自在に係合させる装着部と、
前記左右一対の環状部にそれぞれ接合され、その自由端側にリングをそれぞれ有する左右一対のリード係合部と
を備え、
前記一対のリード係合部は、前記リングを重ね合わせた状態における、左右の全長が、係合状態における前記装着部の長さにほぼ等しい
ことを特徴とするペット用ハーネス。
【請求項２】
前記頚部用帯の端部と前記腹部用帯の端部とが縫合された縫合部において、前記装着部及び前記リード係合部は、所定の角度をもって縫合され、
当該ペット用ハーネスを前記四足動物に装着した状態において、前記装着部の延長線と、前記リード係合部の延長線との交点が、前記連結布部材の中心よりも前記腹部用帯側に位置することを特徴とする請求項１に記載のペット用ハーネス。
【考案の詳細な説明】
【技術分野】
【０００１】
本考案は、犬や猫、フィレットなどの四足動物のペットに着用させるペット用ハーネスに関する。
【背景技術】
【０００２】
従来より、犬や猫、フィレットなどのペットに着用させるペット用ハーネスや胴輪については、種々のタイプが開発されており、例えば特許文献１に開示するようなものがある。この特許文献１に開示されたペット用胴輪は、前後の胴部帯状体の前後の振り分け角度が自然に変更され、或いは、ペットの動きに合わせて前後の胴部帯状体もより自由に可動するようになっており、使用中、胴輪が周方向に移動してずれてしまうのを防止することができる。
【０００３】
ところで、上述した特許文献１に開示されたペット用胴輪では、胴輪を構成する帯状体（ベルト）が自由に動くことができるため、足の付け根や肋骨の下などペットの身体の凹みに食い込んでしまい、そこに過度のテンションがかかることとなる。また、このようなテンションの集中を回避しようとして、ベルトを緩めた場合には、ペットが激しく動いたり、後退りするなど予想外の動作をとったときには、胴輪が抜けたり、外れたりしてしまう惧れがある。
【０００４】
このような問題を解決する技術として、特許文献２に開示されたペット用ハーネスがある。この特許文献２に開示された技術では、ペットの背中に当接される布部材により、ハーネス全体をペットに密着させることができ、リードなどを介してペットに伝達されるテンションをペットの背中全体に分散させることができる。また、この特許文献２の技術では、リードが係合される頸部ベルト及び腹部ベルトが、布部材に対して一定の角度を保持するできるように、布部材の表面に縫着されていることから、所定の長さにわたってペットの身体に対するベルトの角度が変化されるのを防止することができ、ベルトが移動してペットの身体に食い込むのを回避することができる。
【先行技術文献】
【特許文献】
【０００５】
【特許文献１】特開平１０−２５７８３３号公報
【特許文献２】特開２０１０−０２９１１４号公報
【考案の概要】
【考案が解決しようとする課題】
【０００６】
しかしながら、上記特許文献２に開示されたペット用ハーネスでは、リードなどを介してペットに伝達されるテンションをペットの背中に分散させるものであることから、突発的にペットが後足で立ち上がるなどの行動をとったときには、テンションによってペットの頚部や腹部を締め付けてしまう惧れがあった。
【０００７】
そこで、本考案は、上記のような問題を解決するものであり、ペットの突発的な予想外の動作によって、ペットに過度のテンションがかかるのを回避しつつ、ペットの予想外の動作によって抜けることを軽減するようなペット用ハーネスを提供することを目的とする。
【課題を解決するための手段】
【０００８】
上記課題を解決するために、本考案は、四足動物に着用させるペット用ハーネスであって、前記四足動物の頚部に当接される頚部用帯と、前記四足動物の腹部に当接される腹部用帯と、前記四足動物の胸部において、一定の面積をもって、前記頚部用帯と前記腹部用帯とを連結する連結布部材と、前記頚部用帯の端部と、前記腹部用帯の端部を縫合することによって、左右一対に形成される環状部と、前記左右一対の環状部同士を着脱自在に係合させる装着部と、前記左右一対の環状部にそれぞれ接合され、その自由端側にリングをそれぞれ有する左右一対のリード係合部とを備え、前記一対のリード係合部は、前記リングを重ね合わせた状態における、左右の全長が、係合状態における前記装着部の長さにほぼ等しいことを特徴とする。
【０００９】
このような本考案によれば、前記頚部用帯の端部と、前記腹部用帯の端部を縫合することによって、左右一対に形成される環状部に、ペットの前足を通し、ペットの背後において、左右の装着部を係合させることで、ペットにハーネスを装着させることができる。このとき、ペットの胸部に当接される布部材により、ハーネス全体をペットに密着させることができ、また、布部材は所定の面積を有することから、リードなどを介してペットに伝達されるテンションをペットの胸部から腹部にかけて分散させることができる。
【００１０】
また、この布部材には、頚部用帯及び腹部用帯が、布部材に対して一定の角度を保持できるように、所定の長さにわたって布部材の表面に縫着されているとともに、一対のリード係合部は、そのリングを重ね合わせた状態における、左右の全長が、係合状態における装着部の長さにほぼ等しいため、ペット用ハーネスを装着した状態では、ペットが後足で立ち上がって突発的に前進しようとしたり、ペットが後退りするなど、予想外の動作を取ってもハーネスが外れる事を軽減することができる。
【００１１】
さらに、上記考案では、頚部用帯の端部と腹部用帯の端部とが縫合された縫合部において、装着部及びリード係合部は、所定の角度をもって縫合され、当該ペット用ハーネスを四足動物に装着した状態において、装着部の延長線と、リード係合部の延長線との交点が、連結布部材の中心よりも腹部用帯側に位置することが好ましい。この場合には、四足動物がペット用ハーネスを装着した状態において、装着部の延長線と、リード係合部の延長線との交点が、連結布部材の中心よりも腹部側に位置しているため、リードなどを介して、犬などの四足動物に伝達されるテンションが、四足動物の腹筋部分に作用させることができる。その結果、リードを四足動物の腹筋位置で背中（背骨）に対して垂直に引く事が可能となり、こにより、四足動物の前足を浮かすことができ、ペットをコントロールをしやすくすることができる。
【考案の効果】
【００１２】
以上述べたように、この考案によれば、犬や猫、フィレットなどの四足動物のペットに用いるペット用ハーネスにおいて、ペットが後足で立ち上がって突発的に前進しようとするなど、突発的な予想外の動作をとっても、ペットの頚部や腹部に過度のテンションがかかるのを回避することができ、また、ペットが後退りするなどの予想外の動作によって、ハーネスが抜けてしまうのを軽減できる。
【図面の簡単な説明】
【００１３】
【図１】実施形態に係るペット用ハーネスの全体構成を示す斜視図である。
【図２】実施形態に係るペット用ハーネスの装着状態を示す説明図である。
【図３】実施形態に係るペット用ハーネスの展開図である。
【図４】実施形態に係るペット用ハーネスのリード係合部及びバックル部を示す上面図である。
【図５】実施形態に係るペット用ハーネスの装着状態を上方から示す説明図である。
【図６】実施形態に係るペット用ハーネスの全体構成を示す側面図である。
【図７】変更例に係るペット用ハーネスの全体構成を示す斜視図である。
【考案を実施するための形態】
【００１４】
（ペット用ハーネスの概要）
以下に添付図面を参照して、本考案に係るペット用ハーネスの実施形態を詳細に説明する。図１は、本実施形態に係るペット用ハーネスの斜視図であり、図２は、ペット用ハーネスの使用状態を示す説明図である。
【００１５】
図１及び図２に示すように、ペット用ハーネス１は、犬や猫、フィレットなど四足動物のペット２に着用させるベストハーネスであり、具体的に、ペット２に装着されるベスト部１１と、ペット２の背中中央に位置され、リード３が係合されるリード係合部１２と、装着部１５とを備えている。そして、本実施形態ではリード３をペットの背中（背骨）に対して垂直に引く事が可能となっており、これにより、ペットの前足を浮かすことができ、コントロールがしやすくなっている。
【００１６】
ベスト部１１は、ペットの頸部に巻き回される頚部用帯１３と、ペットの腹部に巻き回される腹部用帯１４と、ペット２の胸部において、一定の面積をもって、頚部用帯１３と腹部用帯１４とを連結する連結布部材１６とから形成されている。これらの頚部用帯１３の端部と、腹部用帯１４の端部を、縫着部１３１で縫合することによって、環状部１１１ａ及び１１１ｂが左右一対に形成されている。そして、一対の環状部１１１ａと１１１ｂにペット２の前足を通し、ペットの背中側で装着部１５を連結させることにより、ペットの上半身に装着される。なお、本実施形態において、ベスト部１１のペット２と当接する裏面１１ａは、メッシュ素材から構成されており、当接部分の通気性を向上させ、ムレを防止することができる。また、裏面１１ａは、クッション材から構成されており、負担の掛り易い部分である、ペットの喉、前足の付け根、脇下等へのテンションを軽減させることができる。
【００１７】
（ペット用ハーネスの具体的構成）
以上説明した概要のペット用ハーネス１の具体的構成について、詳細に説明する。図３は、本実施形態に係るペット用ハーネスの展開図であり、図４は、リード係合部及びバックル部を示す上面図であり、図５は、ペット用ハーネスの装着状態を上方から示す説明図であり、図６は、本実施形態に係るペット用ハーネスの全体構成を示す側面図である。
【００１８】
上述したように、ペット用ハーネス１は、ペットに装着される布部材であるベスト部１１と、ペット２の背中中央に位置されるリード係合部１２と、ペットの頸部に巻き回される頚部用帯１３と、ペットに巻き回される腹部用帯１４とを備えている。ベスト部１１は、頚部用帯１３と、腹部用帯１４と、これら頚部用帯１３と腹部用帯１４とを連結する連結布部材１６とからなり、例えば合成繊維や合成皮革、本革などで形成することができる。このベスト部１１の形状は、ペット２の頚部及び腹部に巻き回し、所定の面積をもって胸部に当接できれば、図示した矩形状のみならず、ペットの肢体に合わせて種々の曲線によってデザインすることができる。
【００１９】
リード係合部１２は、左右一対の環状部１１１ａ及び１１１ｂにそれぞれ縫着されたベルト１２ａ及び１２ｂからなり、各ベルト１２ａ及び１２ｂの自由端側にはリング１２１ａ及び１２１ｂをそれぞれ有している。また、リード係合部１２は、縫着部１３１から所定の角度で突出した構成となっており、腹部用帯１４側に対して、引く力が作用するようになっている。そして、ベスト部１１をペット２に装着した状態において、左右のリンク１２１ａ及び１２１ｂを束ねてリード３のフック３１や鎖等を係合できるようになっている。ここで、リング１２１ａ及び１２１ｂは、形状の丸い丸カン、若しくはＤ字状のＤカン、三角形の三角カン等の留め具であり、金属又はプラスチック素材などの一定の強度を有する素材から形成されている。
【００２０】
装着部１５は、左右一対の環状部１１１ａ及び１１１ｂにそれぞれ縫着されたベルト１５ａ及び１５ｂからなり、各ベルト１５ａ及び１５ｂの自由端側にはバックル１５１の着脱部１５１ａ及び１５１ｂをそれぞれ有している。そして、ベスト部１１をペット２に装着した状態において、着脱部１５１ａ及び１５１ｂを結合させることにより、ベスト部１１を、ペット２の上半身に密着させる。なお、装着部１５の中途には、アジャスタ１５２が設けられており、バックル１５１によるベルトの着脱とともに、装着部１５の長さの調節も可能となっている。なお、本実施形態において、装着部１５は、リード係合部１２の前方に位置しているが、本考案は、これに限定するものでなく、例えば、腹部用帯１４をコントロールしやすくするために、リード係合部１２をペットの首側に配置させる場合には、装着部１５をリード係合部１２の後方に位置させてもよい。
【００２１】
そして、特に、本実施形態では、図４及び図５に示すように、一対のリード係合部１２は、リング１２１ａ及び１２１ｂを重ね合わせた状態における、左右の全長Ｌ２が、係合状態における装着部１５の長さＬ１にほぼ等しくなっている。これにより、ペットが頭を下げて後退した際、首からハーネスが抜けることを最大限に予防する意味がある。
【００２２】
また、装着部１５は、図３に示すように、ペット２の脊髄に沿った中心線ＣＬ１に平行となっているとともに、リード係合部１２は、装着部１５に対して一定の角度θを保持するように、頚部用帯１３の端部（縫着部１３１）に縫着されている。
【００２３】
そして、本実施形態では、図６に示すように、縫着部１３１で頚部用帯１３と腹部用帯１４とを縫着させた状態において、リード係合部１２の延長線Ｌ３と、装着部１５の延長線Ｌ４との交点Ｐ２が、ベスト部１１の中心線ＣＬ２と中心線ＣＬ１との交点Ｐ１よりも腹部側に位置するような構成となっている。
【００２４】
（本実施形態による作用・効果）
以上説明した本実施形態に係るペット用ハーネス１によれば、頚部用帯１３の端部と、腹部用帯１４の端部を縫合することによって、左右一対に形成される環状部１１１ａ及び１１１ｂに、ペット２の前足を通し、ペット２の背後において、左右の装着部１５のバックル１５１を係合させることで、ペット２にペット用ハーネス１を装着させることができる。このとき、ペット２の胸部に当接される連結布部材１６により、ハーネス全体をペット２に密着させることができ、また、連結布部材１６は所定の面積を有することから、リード３などを介してペット２に伝達されるテンションをペット２の胸部から腹部にかけて分散させることができる。
【００２５】
また、一対のリード係合部１２は、そのリング１２１ａ及び１２１ｂを重ね合わせた状態における左右の全長Ｌ２が、係合状態における装着部１５の長さＬ１にほぼ等しいため、ペット用ハーネスを装着した状態では、ペット２が後足で立ち上がって突発的に前進しようとしたり、ペットが後退りするなど、予想外の動作を取っても、ベスト部１１がペット２に密着されているとともに、リード係合部１２がペット２の脊髄に対して適切な角度とテンションを保つことができ、ハーネスが外れることを軽減することができる。
【００２６】
さらに、本実施形態では、図６に示すように、縫着部１３１で頚部用帯１３と腹部用帯１４とを縫着させた状態において、延長線Ｌ３と、延長線Ｌ４との交点Ｐ２が、中心線ＣＬ２と中心線ＣＬ１との交点Ｐ１よりも腹部側に位置している。ここで、交点Ｐ１は、連結布部材１６の中心部分であるため、交点Ｐ２を交点Ｐ１よりも腹部用帯側に位置させることで、リード３などを介してペット２に伝達されるテンションをペット２の腹筋部分に作用させることができる。その結果、リード３をペット２の腹筋位置で背中（背骨）に対して垂直に引く事が可能となり、これにより、ペットの前足を浮かすことができ、コントロールがしやすくなっている。
【００２７】
なお、本実施形態では、延長線Ｌ３と延長線Ｌ４との交点Ｐ２が中心線ＣＬ１と中心線ＣＬ２との交点Ｐ１よりも腹部側に位置される構成としたが、本考案は、これに限定するものではなく、ペット２に伝達されるテンションをペット２の腹筋部分に作用させることができればよく、例えば、リード係合部１２と装着部１５との長さ、角度、又は縫着位置を調整することによって、リード係合部１２と装着部１５との合力の作用点が中心線ＣＬ１と中心線ＣＬ２との交点Ｐ１よりも腹部側に位置される構成としてもよい。
【００２８】
以上述べたように、本実施形態に係るペット用ハーネス１によれば、犬や猫、フィレットなどの四足動物のペットに用いるペット用ハーネスにおいて、ペット２が後足で立ち上がって突発的に前進しようとするなど、突発的な予想外の動作をとっても、ペットの頚部や腹部に過度のテンションがかかるのを回避することができ、また、ペットが後退りするなどの予想外の動作によって、ハーネスが抜けてしまうのを最大限、軽減する工夫がある。
【００２９】
（変更例）
なお、本考案は、上記実施形態に限定されるものではなく、種々の変更を加えることができる。例えば、図７に示すように、ベスト部１１の裏面１１ａに保冷剤４０を収納するポケット状の収納部１７を設けてもよい。この収納部１７に保冷剤４０を収納させることにより、ベスト部１１内部の温度上昇を抑えることができる。
【符号の説明】
【００３０】
ＣＬ１，２…中心線
Ｌ３，Ｌ４…延長線
１…ペット用ハーネス
２…ペット（四足動物）
３…リード
１１…ベスト部
１１ａ…裏面
１２…リード係合部
１２ａ，１２ｂ…ベルト
１３…頚部用帯
１４…腹部用帯
１５…装着部
１６…連結布部材
１７…収納部
３１…フック
４０…保冷剤
１１１ａ、１１１ｂ…環状部
１２１ａ、１２１ｂ…係合リング
１３１…縫着部
１５１…バックル
１５１ａ，１５１ｂ…着脱部
１５２…アジャスタ
【図１】
0003163475.tif 000003
【図２】
0003163475.tif 000004
【図３】
0003163475.tif 000005
【図４】
0003163475.tif 000006
【図５】
0003163475.tif 000007
【図６】
0003163475.tif 000008
【図７】
0003163475.tif 000009